(57)【特許請求の範囲】
【請求項１】
複数の構造体からなる靴棚であり、
底板が設けられており、その後ろ側に垂直中空柱があり、その内表面には、歯部、上空間、上空間とつながる下空間があり、中空柱の歯部の上縁に上突出リングがあり、及び中空柱歯部の中間に下突出リングがあり、
仕切り板が設けられており、その後ろ側に垂直中空結合柱があり、その外表面に歯部があり、仕切り板の歯部の上に上コンケーブリングがあり、仕切り板の歯部の中間に下コンケーブリングがあり、前記結合柱を中空柱へ差し込むと、上コンケーブリング及び上突出リングが噛み合い、下コンケーブリング及び下突出リングが噛み合うようになり、又は、結合柱を引き出すと、下コンケーブリング及び上突出リングが噛み合うようになり、
位置決めバーが設けられており、前記位置決めバーは、中空柱と結合柱を貫通し、それにより、各構造体が位置決めバーと相対して回転できるようになることを特徴とする靴棚。
【請求項２】
前記仕切り板は、後向き及び下向きに傾いたことを特徴とする、請求項１に記載の靴棚。
【請求項３】
前記位置決めバーの底側には、平らな支え座があり、それにより、安定して地面に立つようになることを特徴とする、請求項１に記載の靴棚。
【請求項４】
前記位置決めバーの上下の両側には、それぞれ位置決め座があり、壁に設けられることを特徴とする、請求項１に記載の靴棚。
【請求項５】
防塵カバーが設けられており、それにより、位置決めバー及び各構造体の仕切り板と底板が上から下へ完全に覆われることを特徴とする、請求項１に記載の靴棚。
【請求項６】
前記中空柱の上端部の円周には複数の切欠槽が設けられることを特徴とする、請求項１に記載の靴棚。
【請求項７】
複数の構造体からなる靴棚であり、
底板が設けられており、その後ろ側に第一結合部があり、第一結合部に近い所に垂直中空柱があり、その内表面には、歯部、上空間、上空間とつながる下空間があり、中空柱歯部の上縁に上突出リングがあり、及び中空柱歯部の中間に下突出リングがあり、
仕切り板が設けられており、その後ろ側に垂直中空結合柱があり、その外表面に歯部があり、仕切り板の歯部の上に上コンケーブリングがあり、仕切り板の歯部の中間に下コンケーブリングがあり、前記結合柱を中空柱へ差し込むと、上コンケーブリング及び上突出リングが噛み合い、下コンケーブリング及び下突出リングが噛み合うようになり、又は、結合柱を引き出すと、下コンケーブリング及び上突出リングが噛み合うようになり、
中空支え管が設けられており、その表面に複数の第二結合部があり、その数は構造体の数と同じ、又はそれ以上設けられるが、前記底板の第一結合部は、支え管の第二結合部と固定、結合されることにより、各構造体が支え管に設けられるようになることを特徴とする靴棚。
【請求項８】
前記仕切り板は、後向き及び下向きに傾いたことを特徴とする、請求項７に記載の靴棚。
【請求項９】
前記支え管の底側には、平らな支え座があり、それにより、安定して地面に立つようになることを特徴とする、請求項７に記載の靴棚。
【請求項１０】
前記支え管の上下の両側には、それぞれ位置決め座があり、壁に設けられることを特徴とする、請求項７に記載の靴棚。
【請求項１１】
防塵カバーが設けられており、それにより、支え管及び各構造体の仕切り板と底板が上から下へ完全に覆われることを特徴とする、請求項７に記載の靴棚。
【請求項１２】
前記中空柱の上端部の円周には複数の切欠槽が設けられることを特徴とする、請求項７に記載の靴棚。
【請求項１３】
前記支え管の断面形状が長方形であることを特徴とする、請求項７に記載の靴棚。
【請求項１４】
前記第一結合部はフックに、第二結合部は長孔に設けられることを特徴とする、請求項７に記載の靴棚。
【請求項１５】
前記第一結合部は長孔に、第二結合部はフックに設けられることを特徴とする、請求項７に記載の靴棚。
【発明の詳細な説明】
【技術分野】
【０００１】
本発明は靴棚に関わり、特に組立てが簡単で、使いやすくスペースにより適当に設けられる靴棚のことである。靴箱は、各家庭で重要な位置を占めるもので、通常一人は、用途に応じるため、革靴、レジャーシューズ、運動靴など、最低二、三足の靴があるが、着こなしを気にする若い女性達は、服の美しさに合わせるために、様々な色やスタイルが異なった靴（ハイヒール、平底靴、カジュアルシューズ等）をどんどん購入するので、十何足の靴を持つ若い女性は少なくないのである。
【背景技術】
【０００２】
従来の密閉式靴箱はサイズが大きく、スペースが掛かるほかに、靴が靴箱に長く置かれると、カビが発生しやすい。従来の靴箱や靴棚を利用する場合、大抵段分けに置かれるようになるが、しかし、靴の高さが違うので、各段のラックの距離が大きくなると、スペースの無駄使いになり、距離が狭いと、ブーツやハイヒールなどのような靴が置かれないという可能性がある。従って、それを改良する必要がある。
【発明の開示】
【発明が解決しようとする課題】
【０００３】
本発明の主要目的は、靴棚を提供することであり、複数の構造体からなるものだが、底板が設けられており、その後ろ側に垂直中空柱があり、その内表面には歯部、上下突出リング及び仕切り板があり、その後ろ側に垂直中空結合柱があり、その外表面には歯部、上下コンケーブリング及び上下コンケーブリングがあり、上下突出リングと選択的に結合し、それにより、結合柱を中空柱へ差し込むと、底板と仕切り板との距離が調整されるようになる。また、それぞれ各構造体の底板及び仕切り板を貫通する位置決めバーが設けられることを特徴とする靴棚であり、当該靴棚は、設置空間が有効に利用できるものである。
【発明を実施するための最良の形態】
【０００４】
以下、添付図面を参照して本発明の実施の形態を詳細に説明する。
【０００５】
図１〜図１１は、本発明の靴棚の第一実施例だが、靴棚は複数の構造体からなるものであり、靴棚には底板１０が設けられており、その後ろ側に垂直の中空柱１１があり、その内表面には、歯部１１４、直径の小さい通し孔１１６があり、それにより、中空柱１１の内部が上空間１１５と下空間１１３に分けられるようになり、歯部１１４の上縁に上突出リング１１２Ａがあり、歯部１１４の中間に下突出リング１１２Ｂがあり、及び中空柱１１の上端部の円周には複数の切欠槽１１１があり、それにより、中空柱１１の開き口が適当に外へ拡張され、組合せが便利に行われるようになる。後向き及び下向きに傾いた仕切り板２０は設けられており、その後ろ側に垂直の中空結合柱２１があり、その外表面に歯部２１２があり、歯部２１２の上縁に上コンケーブリング２１１Ａがあり、及び歯部２１２の中間に下コンケーブリング２１１Ｂがある。
【０００６】
図２に示すように、結合柱２１を中空柱１１に完全に差し込んだ時、上コンケーブリング２１１Ａ及び上突出リング１１２Ａは噛み合い、下コンケーブリング２２１Ｂ及び下突出リング１１２Ｂは噛み合うようになるが、しかし、コンケーブリングは選択的で突出リングと結合されることもできるが、それにより、結合柱２１が中空柱１１に差し込んだ時、底板１０與仕切り板２０との距離が調整され、高さの異なる靴が置かれるようになるのである。
【０００７】
例えば、図３に示すように、使用者は結合柱２１を上へ引き出して、下コンケーブリング２２１Ｂ及び上突出リング１１２Ａが噛み合うようになる。
【０００８】
図４は、本発明の第一実施例の構造体が靴箱６０に配置された時のイメージだが、各構造体の底板１０と仕切り板２０の上に靴が置かれ、靴箱６０の内部には、セパレータ６１により靴が置かれる上下空間に分けられる。それにより、一足の靴は重なった形で靴箱のある段に置かれ、空間が有効に利用されるようになる。
【０００９】
図５は、図１と類似するが、構造体と結合しようとするための位置決めバー３１及びプラスチックリング３１１が追加された時イメージだが、図６では、プラスチックリング３１１が位置決めバー３１の上に設けられ、通し孔１１３の底部に突くようにし、それにより、位置決めバー３１が中空柱１１及び結合柱２１を貫通した時、位置決めバー３１と底板１０との結合力が高められる。そこで注意すべき所は、図７に示すように、底板１０と仕切り板２０との距離は、図３のように調整できることである。なお、位置決めバー３１と結合柱２１との結合は固定されたものではないため、結合柱２１と位置決めバー３１とは回転できるようになっているが、その詳しくは、後述の図９に示すようになる。
【００１０】
図８は組合せ後の本発明の第一実施例の靴棚だが、当該靴棚設は、大きくて平らな支え座３０があり、その中央と位置決めバー３１の底側と固定、結合されるようになり、それにより、靴棚が安定して地面に立つようになる。
【００１１】
図９は、何れかの構造体は位置決めバー３１と相対して回転されるようになり、それにより、何れかの構造体が隣接した構造体との角度が九十度に設けられ、それにより、靴棚が壁隅に置かれ、室内の空間に合わせることができるのである。
【００１２】
図１０は、本発明では、また防塵カバー５０は設けられており、位置決めバー３１及び各構造体の仕切り板２０、底板と支え座３０を上から下へ覆うようにして、仕切り板２０と底板１０に置かれた靴が守られる  （図示なし）。
【００１３】
図１１に示すように、本発明の第一実施例は、壁にも設けられるが、即ち、支え座３０をなくし、位置決めバー３１の上下の両側にそれぞれ位置決め座４０を設け、壁にも設けられるが、本発明が壁に設けられた場合、何れかの構造体が位置決めバー３１と相対して回転できるようになり、それにより、何れかの構造体が隣接した構造体との角度が九十度に設けられ、使用者が靴を簡単に取ることができるのである。
【００１４】
図１２及び図１３は、本発明の靴棚の第二実施例だが、第二実施例の特徴は、位置決めバー３１の設置をなくしたが、その代わりに断面形状が長方形の中空支え管３２が設けられており、支え管３２の表面に複数の長孔３２１があり、その数は構造体の数と同じだが、なお、底板１０の後ろ側にフック１２が突出して設けられ、前記フック１２が長孔３２１に差し込まれることにより、構造体及び支え管３２が安定して固定されるようになり、そして、第一実施例に類似した方法で、靴棚を組み合わせることができる。
【００１５】
図１４は、本発明の靴棚の第三実施例だが、底板１０’のサイズが大きく設けられることにより、その上に靴が置かれる他に、靴を簡単に取り出すことができ、仕切り板２０の設置も不要になるのである。
【図面の簡単な説明】
【００１６】
【図１】本発明の第一実施例における靴棚の構造体の分解図である。
【図２】図１の結合柱と中空柱が完全に結合する断面図である。
【図３】図２の結合柱と中空柱との相対距離が調整された時の断面図である。
【図４】本発明の第一実施例が靴箱に配置された時のイメージである。
【図５】図１と類似するが、結合しようとするための位置決めバーとプラスチックリングが追加された時のイメージである。
【図６】図５の組合せ断面図である。
【図７】図６の結合柱と中空柱との相対距離が調整された時の断面図である。
【図８】本発明の第一実施例の立体図である。
【図９】図８と類似するが、靴棚が壁隅に置かれるように、何れかの構造体が隣接した構造体との角度が九十度に設けられるイメージである。
【図１０】図８の靴棚は防塵カバーが設けられた時の立体図である。
【図１１】本発明の第一実施例が壁に設けられた時のイメージである。
【図１２】本発明の第二実施例における靴棚の一部分解図である。
【図１３】図１２の組み合わせた時の断面図である。
【図１４】本発明の第三実施例における靴棚の立体イメージである。
【符号の説明】
【００１７】
１０      底板                  
１０’    底板
１１      中空柱
１１１    切欠槽                
１１２Ａ  上突出リング
１１２Ｂ  下突出リング
１１３    下空間                           
１１４    歯部
１１５    上空間              
１１６    通し孔
１２      フック
２０      仕切り板
２１      結合柱                
２１１Ａ  上コンケーブリング
２１１Ｂ  下コンケーブリング
２１２    歯部                
３０      支え座
３１      位置決めバー                
３１１    プラスチックリング
３２      支え管                           
３２１    長孔
４０      位置決め座                
５０      防塵カバー
６０      靴箱                                         
６１      セパレータ
【図１】
0005277423.tif 000002
【図２】
0005277423.tif 000003
【図３】
0005277423.tif 000004
【図４】
0005277423.tif 000005
【図５】
0005277423.tif 000006
【図６】
0005277423.tif 000007
【図７】
0005277423.tif 000008
【図８】
0005277423.tif 000009
【図９】
0005277423.tif 000010
【図１０】
0005277423.tif 000011
【図１１】
0005277423.tif 000012
【図１２】
0005277423.tif 000013
【図１３】
0005277423.tif 000014
【図１４】
0005277423.tif 000015